(57)【要約】【課題】洗濯設備に用いられるロール仕上機械を改良し、被処理物である脱水済み洗濯物の乾燥所要時間を短縮して作業能率を向上させる。【解決手段】加熱ロール１に巻き掛けられて周回するベルト２に対向せしめて減圧室１０を設け、ブロワ１１で排気する。これにより、加熱ロールとベルトとの間に挟みつけられている洗濯物５の付近に通風を生じる。さらに乾燥を促進するため、前記のベルトは通気性の大きいものとし、かつベルト２のテンション及び走行速度を調節して乾燥所要時間の極小値を求めて操業する。【選択図】図１
2008119455.tif 000002
【特許請求の範囲】
【請求項１】
水平軸の周りに回転している加熱ロールと、該加熱ロールに巻き掛けられて周回する無端環状のベルトとを備え、脱水処理された洗濯物を上記加熱ロールとベルトとの間に挟み込んでプレスするとともに乾燥させるロール仕上機において、
前記ベルトの走行速度が２４メートル／分未満であり、
該ベルトの通気度が、２０，０００立方センチメートル／平方センチメートル・分ないし３０，０００立方センチメートル／平方センチメートル・分であり、
かつ、該ベルトのテンションが０．１５キログラム／センチメートルないし１．８キログラム／センチメートルであることを特徴とするロール仕上機。
【請求項２】
水平軸の周りに回転している加熱ロールと、該加熱ロールに巻き掛けられて周回する無端環状のベルトとを備え、脱水処理された洗濯物を上記加熱ロールとベルトとの間に挟み込んでプレスするとともに乾燥させるロール仕上機において、
前記ベルトの走行速度が２４メートル／分以上であり、
該ベルトの通気度が、３０，０００立方センチメートル／平方センチメートル・分ないし５０，０００立方センチメートル／平方センチメートル・分であり、
かつ、該ベルトのテンションが０．１５キログラム／センチメートルないし１．８キログラム／センチメートルであることを特徴とするロール仕上機。
【請求項３】
水平軸の周りに回転している加熱ロールと、該加熱ロールに巻き掛けられて周回する無端環状のベルトとを備え、脱水処理された洗濯物を上記加熱ロールとベルトとの間に挟み込んでプレスするとともに乾燥させるロール仕上機において、
前記ベルトの通気度が、２０，０００立方センチメートル／平方センチメートル・分以上であることを特徴とするロール仕上機。
【請求項４】
前記ベルトの外周に接している空間の少なくとも一部の区域の空気を流動せしめる手段が設けられていることを特徴とする、請求項１ないし請求項３に記載したロール仕上機。
【請求項５】
前記の空気を流動せしめる手段が、ベルトの外周を緩やかに覆って設けられた減圧室、および該減圧室内の空気を排出するブロワを備えていることを特徴とする、請求項４に記載したロール仕上機。
【請求項６】
前記の空気を流動せしめる手段が、ベルトの外周を緩やかに覆って設けられた加圧室、および該加圧室内へ空気を圧送するブロワを備えていることを特徴とする、請求項４に記載したロール仕上機。
【請求項７】
前記ベルトの幅寸法が、前記加熱ロールの長さ寸法とほぼ等しい１枚のベルトであり、
又は、幅寸法の合計が前記加熱ロールの長さ寸法とほぼ等しい複数枚のベルトから成ることを特徴とする、請求項１ないし請求項４の何れかに記載したロール仕上機。
【発明の詳細な説明】
【技術分野】
【０００１】
本発明は、脱水された状態の洗濯物をプレスし、かつ乾燥させるロール仕上機に係り、加熱ロールの形状寸法や設置個数を増加させることなく、乾燥所要時間を短縮し得るように改良したものである。
【背景技術】
【０００２】
図６は従来例のロール仕上機を示し、模式的に描いた正面図である。
加熱ロール１はほぼ水平な軸（紙面に直角）の周りに、矢印ａ方向に回転していて、過熱蒸気によって１４０℃〜１７０℃に加熱されている。
上記加熱ロール１に無端環状のベルト２が巻き掛けられており、該ベルトは複数個のローラ３ａ〜３ｄに案内されて周回している。矢印ｂ，ｃ，ｄ，ｅ，ｆは周回方向を表している。
未仕上げ洗濯物４は矢印ｈのように搬入され、加熱ロール１とベルト２との間へ供給され（矢印ｅ）、加熱ロールやベルトと一緒に矢印ａ方向に回ってゆく。符号５を付して示したのは、仕上げ途中の洗濯物である。
【０００３】
ローラ３ａはテンションローラを兼ねていて、エアシリンダ７によって図の右方に向けて付勢されている。上記エアシリンダ７に供給される圧力空気は減圧弁８によって圧力を調節され、ベルト２に対して自動的に一定のテンションが与えられる。このテンションによって、洗濯物５は加熱ロール１に圧しつけられ、加熱されてプレス仕上げされ、仕上済み洗濯物６となって矢印ｇのように送り出される。
従来例のロール仕上機においては、ベルトのテンションについては別段の考慮が為されておらず、０．１５キログラム／センチメートル未満に設定されていて、前記のローラ３ａは、それ以上の力に耐えることはできなかった。
【０００４】
仕上げられた洗濯物に皺（しわ）を残さないようにするため、特許文献１として挙げた特開２００６−１３８０２２号公報「洗濯済みの被処理物のロール仕上機及びロール仕上方法」が提案されており、
また、被処理物である洗濯物がロールに巻きつかないようにするため、特許文献２として挙げた特開２００５−２０５０６５号公報「ロール仕上機における巻付き防止方法、及びエアー式巻付き防止装置」が提案されている。
しかし、ロール仕上げにおける洗濯物の乾燥所要時間を短縮して作業の処理能率を向上させることについては、別段の新規な技術が開発されていない。
【特許文献１】特開２００６−１３８０２２号公報
【特許文献２】特開２００５−２０５０６５号公報
【発明の開示】
【発明が解決しようとする課題】
【０００５】
図６に示した従来例のロール仕上機において、仕上済み洗濯物は自然乾燥状態（通常の生活環境内において、空気中の蒸気圧とバランスする程度の湿り度）になっていなければならない。
ロール仕上機の処理能率を上げようとする場合、仕上済み洗濯物が自然乾燥状態に達していることが条件とされる。
このためロール仕上機においては、被処理物である洗濯物を如何にして速く自然乾燥状態まで乾かすかということが能率向上の決め手になる。
【０００６】
従来技術において、仕上げ所要時間を短縮するために加熱ロールの回転速度を速めようとすると、仕上済み洗濯物の含有水分を自然乾燥状態に到達させるためには、該加熱ロールの直径を大きくして洗濯物の被処理時間を維持しなければならない。さもなくば、複数個の加熱ロールを配置して、いわゆる多段式のロール仕上機を構成しなければならなかった。これらの方策は必然的にロール仕上機の形状，重量を増大させ、製造コストを増加させる。
【０００７】
本発明は以上に述べた事情に鑑みて為されたものであって、その目的とするところは、ロール仕上機の形状，重量を増大させることなく、被処理物である洗濯物の乾燥所要時間を短縮し得る技術を提供するにある。
ロール仕上機の形状，重量や設置個数を増加させることなく乾燥所要時間を短縮することができれば、製造コスト増加を抑制して洗濯物の処理能率を向上せしめ得ることが期待される。
ただし本発明を実施する際、ロール仕上機の形状，重量や設置個数は任意に設定することができる。
【課題を解決するための手段】
【０００８】
本発明者は、ロール仕上機における被処理物の挙動を子細に観察して解析し、乾燥速度が、ベルトの通気度およびベルトのテンションと密接に関連していることを発見し、その態様を確認した。
そこで、通気度とテンションとの相関の下に、ベルトの最適通気度および最適テンションを探求して、実施形態１（請求項１）の発明を創作し、
その後、研究を続けて乾燥の進行状況がベルトの走行速度（加熱ロールの周速）にも関連していることを発見し、この新たな知見に基づいて実施形態２（請求項２）の発明を創作するに至り、
さらに、前記実施形態１と実施形態２とを総合的に検討，解析して上位概念としての請求項３の発明を創作して本願発明を完成した。
【０００９】
図２は、縦軸に乾燥所要時間をとるとともに、横軸にベルトの通気度をとって、ベルトのテンションが０．１５キログラム／センチメートルである場合のカーブαと、ベルトのテンションが１．８キログラム／センチメートルである場合のカーブβとを描いた図表である。図示を省略するが、カーブαとカーブβとの間に、多数の相似形の中間カーブが存在する。
この図２の実験におけるベルトの走行速度（加熱ロールの周速）は、従来技術の範囲内（２４メートル／分未満）であって、１５メートル／分である。
（注）従来例におけるベルト走行速度は一般に１０〜１５メートル／分である。
この図２の縦軸に表された乾燥所要時間は、横軸の通気度２０，０００立方センチメートル／平方センチメートル・分と３０，０００立方センチメートル／平方センチメートル・分との間に極小値が認められる。
請求項１の発明は、上述のごとく確認した図２（実施形態１）の原理に基づき、工業的に利用し得る具体的な構成を創作したものである。
【００１０】
上述の原理に基づいて創作した請求項１の発明は、水平軸の周りに回転している加熱ロールと、該加熱ロールに巻き掛けられて周回する無端環状のベルトとを備え、上記加熱ロールとベルトとの間に脱水処理された洗濯物を挟み込んでプレスするとともに乾燥させるロール仕上機において、
前記ベルトの通気度が、２０，０００立方センチメートル／平方センチメートル・分〜３０，０００立方センチメートル／平方センチメートル・分であり、
かつ、該ベルトのテンションが０．１５キログラム／センチメートル〜１．８キログラム／センチメートルであることを特徴とする。
【００１１】
前記図２（実施形態１）の実験においてはベルトの走行速度に関して格別の考慮を払っていなかった。すなわち、従来技術の範囲内で加熱ロールの回転速度を設定した。
しかし、その後の研究において、ベルトの走行速度（加熱ロールの周速）を従来例よりも著しく高く、２５メートル／分に設定してみたところ、図３（実施形態２）を得た。
すなわち、ベルト走行速度を上げると、乾燥所要時間カーブの極小位置が「通気度の大きい方向」へ移動した。
【００１２】
上述の新たな知見に基づいて創作した請求項２の発明は、水平軸の周りに回転している加熱ロールと、該加熱ロールに巻き掛けられて周回する無端環状のベルトとを備え、上記加熱ロールとベルトとの間に脱水処理された洗濯物を挟み込んでプレスするとともに乾燥させるロール仕上機において、
前記ベルトの走行速度が２４メートル／分以上であり、
該ベルトの通気度が、３０，０００立方センチメートル／平方センチメートル・分〜５０，０００立方センチメートル／平方センチメートル・分であり、
かつ、該ベルトのテンションが０．１５キログラム／センチメートル〜１．８キログラム／センチメートルであることを特徴とする。 
前記請求項１の構成と比較して異なる点は次のとおりである。
イ．ベルト走行速度の領域が高いこと。
ロ．通気量の大きいベルトを選定したこと。
【００１３】
請求項３の発明は、前記実施形態１と実施形態２とを総合的に検討し、さらに各種のベルト走行速度やベルトテンションにおける洗濯物の乾燥態様を実験・研究した結果到達したものであって、水平軸の周りに回転している加熱ロールと、該加熱ロールに巻き掛けられて周回する無端環状のベルトとを備え、脱水処理された洗濯物を上記加熱ロールとベルトとの間に挟み込んでプレスするとともに乾燥させるロール仕上機において、
前記ベルトの通気度が、２０，０００立方センチメートル／平方センチメートル・分以上であることを特徴とする。
【００１４】
ベルトの走行速度・テンション・通気度という３つの要素のそれぞれを変化させながら洗濯物の乾燥態様を観察すると、これら要素の相関は非常に複雑であり、簡明に最適条件を特定することは、実際問題として極めて困難である。
しかし、従来技術において誰も試みなかった「２０，０００立方センチメートル／平方センチメートル・分以上」という通気度の領域において、従来技術では達成し得なかった高能率のロールプレスが可能であることが確認された。なお、望ましくは２０，０００〜３０，０００立方センチメートル／平方センチメートル・分の間が推奨される。
【００１５】
請求項４の発明に係るロール仕上機の構成は、前記請求項１ないし請求項３の発明の構成要件に加えて、前記ベルトの外周に接している空間の少なくとも一部の区域の空気を流動せしめる手段が設けられていることを特徴とする。
【００１６】
請求項５の発明に係るロール仕上機の構成は、前記請求項４の発明の構成要件に加えて、前記の空気を流動せしめる手段が、ベルトの外周を緩やかに覆って設けられた減圧室、および該減圧室内の空気を排出するブロワを備えていることを特徴とする。
【００１７】
請求項６の発明に係るロール仕上機の構成は、前記請求項４の発明の構成要件に加えて、前記の空気を流動せしめる手段が、ベルトの外周を緩やかに覆って設けられた加圧室、および該加圧室内へ空気を圧送するブロワを備えていることを特徴とする。
【００１８】
請求項７の発明に係るロール仕上機の構成は、前記請求項１ないし請求項４の発明の構成要件に加えて、
前記ベルトの幅寸法が、前記加熱ロールの長さ寸法とほぼ等しい１枚のベルトであり、
又は、幅寸法の合計が前記加熱ロールの長さ寸法とほぼ等しい複数枚のベルトから成ることを特徴とする。
【発明の効果】
【００１９】
請求項１の発明を適用すると、従来技術に係るロール仕上機に比して、形状寸法や重量を増大させず、製造コストをほとんど増加させることなく、被処理物である洗濯物の乾燥所要時間を大幅に短縮し、処理能率を格段に向上させることができる。
【００２０】
請求項２の発明は、上記請求項１の発明を発展させたものであり、請求項１の発明よりもベルト走行速度の高い領域において該請求項１の発明と同様の効果を得たものである。
ベルト走行速度が高いので洗濯物の処理能率が向上する。
【００２１】
請求項３の発明は、前記請求項１及び請求項２の構成を更に研究して、最も大切で、欠くことのできない構成を精選したものであって、従来技術においては、洗濯物を押さえ付ける密度が小さくて伝熱性が悪い（後に、段落００２８において詳述）として用いられなかった領域の通気度を採用することによって、脱水済み洗濯物のロールプレス処理能率を向上せしめた。
【００２２】
請求項１ないし請求項３の発明に併せて請求項４の発明を適用すると、乾燥所要時間を更に短縮し、処理能率をいっそう向上させることができる。
【００２３】
請求項４の発明に併せて請求項５又は請求項６の発明を適用すると、簡単な構造で有効な空気流動を発生させて洗濯物の乾燥を促進し、請求項４の発明の効果を充分に発揮させることができる。
【００２４】
請求項１ないし請求項４の発明に請求項７の発明を適用すると、既製品の市販ベルトを使用して本発明のロール仕上機を合理的に構成することができ、しかも、設計的自由度が大きい。
【発明を実施するための最良の形態】
【００２５】
＜第１の実施形態＞
図１は本発明の１実施形態を模式的に描いた正面図である。
この実施形態は、前掲の図６に示した従来例のロール仕上機に本発明を適用して改良した１例である。
前掲の図６（従来例）に比して異なるところは、エアシリンダ７に対して作動空気を供給する管路に可変減圧弁９を設けて、テンションローラとしての機能を兼ねているローラ３ａに与える力を任意に制御し得るようになっている。
ベルト２が受けるテンションは、ローラ３ａが与えられるシリンダ出力の約半分に相当する。
図示を省略するが、前記のエアシリンダ７に代えて油圧シリンダを設けるとともに、圧力調整可能な作動油を供給することによって、前記のベルトにテンションを与えるように構成することもできる。
【００２６】
本実施形態においては、ベルト２に与えられるテンションを、０．１５キログラム／センチメートル〜１．８キログラム／センチメートルに設定する。この第１の実施形態においては１．０キログラム／センチメートルに制御した。
各ローラ（３ａ〜３ｄ）は、このような大きいテンションに耐え得るよう、従来例よりも丈夫にしてある。
本発明においては、通気度２０，０００立方センチメートル／平方センチメートル・分〜３０，０００立方センチメートル／平方センチメートル・分のベルトを使用する。
図２に示した実験においては、カンバス通気度２５，０００立方センチメートル／平方センチメートル・分の市販のベルトを用いた。
【００２７】
上記の通気度は、ＪＩＳ  Ｌ１０９６８．２７．１に規定されているＡ法（フラジール形法）によるものとする。
（注）カンバス通気度：ドライヤーカンバスの開口度を表示する。
表示単位は立方センチ／平方センチ・分（１／２インチ水柱圧）であり、
カンバスの表裏面に圧力差（１／２インチ水柱圧）を与え、この時、単位時間に単位面積を通過する空気量を測定する。
【００２８】
（図２参照）ベルトの通気度が洗濯物の乾燥に関係するであろうことは容易に推察できるが、未だ実験的にも理論的にも追及されていなかった。
通気度が２０，０００立方センチメートル／平方センチメートル・分以下であると、洗濯物から発生した蒸気の発散が妨げられて乾燥所要時間が長くなる。
ところが、通気度が４０，０００立方センチメートル／平方センチメートル・分以上であると、洗濯物を加熱ロールに向けて押さえつける密度が減少し、洗濯物と加熱ロールとの密着が不充分になって、加熱ロールから洗濯物への熱伝導が悪くなるので、却って乾燥所要時間が長くなる（従来技術においては、洗濯物の押し付け密度を重視して、ベルトの通気度を２０，０００立方センチメートル／平方センチメートル・分未満にしていた）。  上述のように諸条件が相関して、本例の条件（ベルト走行速度２４メートル／分）において、ベルトの最適通気度は２０，０００立方センチメートル／平方センチメートル・分と３０，０００立方センチメートル／平方センチメートル・分との間に存在する。
【００２９】
次に、ベルトテンションについて考察すると、０．１５キログラム／センチメートルに近づくほど、最短乾燥時間が得られる通気度は２０，０００立方センチメートル／平方センチメートル・分に近づき、
ベルトテンションが１．８キログラム／センチメートルに近づくほど、最短乾燥時間が得られる通気度が３０，０００立方センチメートル／平方センチメートル・分に近づく。
【００３０】
こうした関係を総合すると、最適条件を得るため通気度を２０，０００〜３０，０００立方センチメートル／平方センチメートル・分ならしめるためには、ベルトテンションを０．１５〜１．８キログラム／センチメートルの間に設定しなければならなくなる。
本発明者の実験によると、ベルトテンションを０．３〜１．８キログラム／センチメートルの間に設定することが一層望ましい。ただし（図６参照）従来例のロール仕上機におけるローラ３ａは０．３キログラム／センチメートルのテンションに耐え得ないから、本発明を実施する場合は減圧弁８を変えるだけでは足りず、ローラ３ａ（または、これと同様に機能しているテンションローラ）を丈夫なものに作り替えねばならない。
【００３１】
ベルトのテンションとベルトの通気度とを個々に考察すれば設計的配慮の範囲内の事項であると誤解され易いが、上述のごとくベルトテンションと通気度とが乾燥所要時間に及ぼす作用のメカニズムを解明して、ベルトテンションと通気度との関連において最適条件を設定することは、決して設計的考慮とはいえない創作力を要する発明である。
特に、前述のごとく、従来例のロール仕上機テンションローラの仕様を変更して強化しなければ壊れてしまうような大きいベルトテンションを与えることは、適宜に為し得る設計的配慮とは言えない。
従来においては、ベルトテンションの大小が乾燥速度に影響を及ぼすとは思いもよらなかったので、漫然と０．１５キログラム／センチメートル未満に設定されていた。
【００３２】
本発明の実施形態を描いた図１（正面図）において、加熱ロール１は紙面と直角方向に長さを有しており、ベルト２も紙面と直角方向に幅を有している。
本発明を実施する際、ロール仕上機メーカーの立場から見れば所望の通気度を有するベルトは市販品を購入することができる。
しかし、市販のベルトの幅寸法はベルトメーカーの規格に基づいて製造供給されているので、ロール仕上機メーカーが設計製作しようとする加熱ロールの長さ寸法と市販ベルトの幅寸法とを整合させるために工夫を要する。
本例においては、求められるロール仕上げ性能に基づいて所要の加熱ローラ長さ寸法とベルトの幅寸法とを算出し、算出された幅寸法と一致するように、複数枚の既製ベルトを並べて所望の幅寸法を得た。
【００３３】
＜第２の実施形態＞  
図２を参照して説明した前記第１の実施形態においては、ベルトの走行速度に関して別段の考慮を払わず、従来例（２４メートル／分未満）の範囲内で１５メートル／分に設定されていたが、第２の実施形態においては新たな実験結果（図３）に基づいてベルトの走行速度を２４メートル／分以上の３０メートル／分に設定した。
この速度領域（２４メートル／分以上）でベルトを走行させることは、未だ曾て試みられたことが無い。
【００３４】
ベルト走行速度を２４メートル／分以上の高速領域にすると、乾燥所要時間の極小値が図の右方（ベルト通気度の大きい方）に移動する。
高速走行（２４メートル／分以上）の実験結果では、乾燥所要時間の極小値が３０，０００立方センチメートル／平方センチメートル・分〜５０，０００立方センチメートル／平方センチメートル・分の間に現れている。
図３に示した第２の実施形態（請求項２）によっても、前記第１の実施形態（請求項１）におけると同様に乾燥所要時間を短縮することができ、ベルト走行速度の上昇によってロール仕上げ作業の能率がいっそう向上する。
【００３５】
以上に説明したように洗濯物の乾燥態様は、ベルトの通気度と、ベルトのテンションと、ベルトの走行速度とが、相互に複雑に相関している。これら３つの物理量を変数として洗濯物の乾燥速度グラフを描くと４次元グラフになる。
前掲の図２及び図３は、上記４次元グラフについてベルト走行速度をパラメータとして３次元グラフ（立体グラフ）を想定し、更にベルトのテンションについて、０．１５キログラム／センチメートルと１．８キログラム／センチメートルとの２つの面で切断して２本の曲線を得たものである。
【００３６】
従って、上記２枚のグラフ（２つの実施形態）のみでは、本発明者が創作した技術的思想の全貌を表すに足りない。
そこで、これら２枚のグラフ（２つの実施形態）を参照しつつ、従来技術の領域と本願発明の領域との境界を探求した結果、「本願発明に欠くことができず、かつ、従来技術においては考えられていなかった構成」は、「ベルトの通気度が、２０，０００立方センチメートル／平方センチメートル・分以上」であることを確認した（請求項３）。
【００３７】
図４は前掲の図１に示した実施形態の改良例を描いた模式的な正面図である。
洗濯物５は、図示の点イで挿入され、円弧矢印ａのように回動して、図示の点ロで放出される。すなわち、点イから左回り（反時計方向）に点ロまでの間が洗濯物の回動区域である。
上気の回動区域の一部分を緩やかに覆う形の減圧室１０を設け、その中の空気をブロワ１１で排気して減圧室内の空気を流動させる。
【００３８】
ロール仕上機の被処理物である洗濯物の寸法形状は不定であるから、減圧室１０は加熱ロール１の直径寸法に比して大きめに作っておくことが望ましい。前記の「緩やかに覆う」とは、所要の間隔寸法Ｗを設ける意である。
洗濯物に触れているベルトの外側に空気が流れていると、洗濯物から発生した蒸気が速やかに取り除かれ、洗濯物の乾燥がいっそう速くなる。
【００３９】
図５は、前掲の図４と異なる改良例を示す。本例においては、前記の減圧室に代えて加圧室１２を設け、ブロワ１１によって加圧室へ空気を送給する。送給された空気は洗濯物を押さえているベルト２の外周に沿って流動し、前記改良例（図４）におけると同様に洗濯物の乾燥を促進する。
本発明を実施する場合、減圧室兼加圧室を構成しておき、ブロワ１１による吸気と排気とを切り替えることにより、図４に示した改良例として用いたり、図５に示した改良例として用いたり、任意に選択することもできる。
【００４０】
上述の作用効果から明らかなように、減圧室１０や加圧室１２の役目は、ベルトの外周に沿った空気流を発生させることであって、負圧または正圧を発生させることが最終の目的ではない。
本発明を実施する際、必ずしも減圧室もしくは加圧室を設けなくても、洗濯物が回動する区域においてベルトの外周付近に空気流を発生させれば、図４や図５に示した改良例と同様の効果が得られる。
ベルトの外周付近に空気流を発生させるには、例えば吸気ダクトを設けるとか、空気ノズルを設けるとか、扇風機で風を送るとか、種々の手段が考えられる。
ただし、減圧室とブロワとによる構成は、作業環境の保全という意味から好ましい。本発明者の試験研究によると、加圧室を設けた場合も、減圧室を設けた場合と同様の乾燥促進効果が得られた。
【図面の簡単な説明】
【００４１】
【図１】本発明に係るロール仕上機の１実施形態を示し、模式的に描いた正面図にエア配管を付記した図である。
【図２】本発明における第１の実施形態の作用効果の原理を説明するために示したもので、ベルト走行速度２４メートル／分未満における通気度−乾燥所要時間グラフである。
【図３】本発明における第２の実施形態の作用効果の原理を説明するために示したもので、ベルト走行速度２４メートル／分以上における通気度−乾燥所要時間グラフである。
【図４】前掲の図１の実施形態に係るロール仕上機の１改良例を示し、模式的に描いた正面図にエア配管を付記した図である。
【図５】前掲の図１の実施形態に係るロール仕上機の、上記と異なる改良例を示し、模式的に描いた正面図にエア配管を付記した図である。
【図６】従来例のロール仕上機を示し、模式的に描いた正面図にエア配管を付記した図である。
【符号の説明】
【００４２】
１…加熱ロール
２…ベルト
３ａ〜３ｄ…ローラ
４…未仕上げ洗濯物
５…洗濯物
６…仕上済み洗濯物
７…エアシリンダ
８…減圧弁
９…可変減圧弁
１０…減圧室
１１…ブロワ
１２…加圧室
ａ…加熱ロールの回転方向を表す矢印
ｂ，ｃ，ｄ，ｅ…ベルトの周回方向を表す矢印
ｈ…洗濯物の送り込み方向を表す矢印
ｇ…洗濯物の送り出し方向を表す矢印
Ｗ…間隔寸法
イ…洗濯物の送り込み箇所
ロ…洗濯物の送り出し箇所
α…ベルトテンション０．１５ｋｇ／ｃｍのカーブ
β…ベルトテンション１．８ｋｇ／ｃｍのカーブ
γ…ベルトテンション０．１５ｋｇ／ｃｍのカーブ
δ…ベルトテンション１．８ｋｇ／ｃｍのカーブ
【図１】
2008119455.tif 000003
【図２】
2008119455.tif 000004
【図３】
2008119455.tif 000005
【図４】
2008119455.tif 000006
【図５】
2008119455.tif 000007
【図６】
2008119455.tif 000008